(57)【要約】【課題】横臥姿勢において無理なく横臥姿勢を保ち、マッサージ等における押圧を効果的に行う。【解決手段】ベッドに底部と鈍角状に交差する壁部からなる保定凹所を設け、さらにベッド後方を斜め上方に傾斜したベッドにおいて、横臥姿勢を無理なく保持し、且つ、身体下側になる腕及び肩にかかる圧迫を回避する収容部を配設し、身体に窮屈感を与えることなく適切なマッサージ等における押圧を加えられる横臥姿勢用ベッド。【選択図】図１
2004167238.tif 000002
【特許請求の範囲】
【請求項１】
身体の横臥姿勢状態でその下面を支える底部と、該底部に上記身体下面を支えた状態で身体を斜めに当接させる上記底部と鈍角状に交差する壁部とでなる身体の保定凹所を設けたことを特徴とする横臥姿勢用ベッド。
【請求項２】
請求項１に記載の保定凹所は、断面逆台形状にて形成されていることを特徴とする横臥姿勢用ベッド。
【請求項３】
請求項１に記載の保定凹所には、横臥姿勢で下側の腕を収容する収容部が設けられていることを特徴とする横臥姿勢用ベッド。
【請求項４】
請求項３に記載の収容部は、身体の腕及び肩まで挿入可能なベッドの厚み方向の腕挿通孔であることを特徴とする横臥用姿勢ベッド。
【請求項５】
請求項３に記載の収容部は、請求項４に記載の腕挿通孔とこの腕挿通孔に連なるベッドの長さ方向と直交する腕沿わせ用の溝とでなることを特徴とする横臥姿勢用ベッド。
【請求項６】
請求項１に記載の保定凹所は、後方部分が斜め上方に傾斜していることを特徴とする横臥姿勢用ジベッド。
【発明の詳細な説明】
【技術分野】
【０００１】
本発明は、横臥姿勢状態で使用するベッドに関する。
【背景技術】
【０００２】
従来のベッドは、一般に平板状のベッドになっており、このベッド上でうつ伏せや仰向けや横臥の姿勢をとり、マッサージ等を受けている。
【特許文献１】特開２００２−１４２９４６号公報
【特許文献２】特開２０００−２４５５７４号公報
【発明の開示】
【発明が解決しようとする課題】
【０００３】
上記、特許文献に示されたベッドは平板上になるため、うつ伏せ姿勢や仰向け姿勢では、マッサージ等のためにベッド上で横臥姿勢にしたとき、身体を支えるものがなく、従って押圧を加えたとき身体が押圧方向に傾倒し、適切な押圧を加えることができない問題がある。
【０００４】
また、押圧によって、身体が押圧方向に捻られることによる、不自然な姿勢によって身体に負担をかける問題がある。
【０００５】
さらに、横臥姿勢において身体がふらついて、左右に傾倒するという問題がある。
【０００６】
また、横臥姿勢において身体の下側の腕が圧迫されて窮屈になるという問題がある。
【０００７】
さらにまた、平板状のベッドで横臥姿勢になった場合、下半身の両足を伸張上下に重ねた状態で横臥姿勢を保持することは難しく、上になる足は横臥姿勢の身体前面側に足を傾倒する姿勢となり横臥姿勢を保持しようとする。この姿勢では、横臥姿勢において身体の骨盤より下半身がうつ伏せ方向に捻れた姿勢となるため、特に腰痛者では横臥姿勢をとることができない問題がある。
【０００８】
本発明は、このような問題点を考慮してなされたもので、身体に窮屈感を与えることなく身体にマッサージ等の押圧を適切に加えられ、腰痛者においても無理なく横臥姿勢を保持することができる横臥姿勢用ベッドを提供することにある。
【課題を解決するための手段】
【０００９】
前述の課題を解決するため、本発明に係る横臥姿勢用ベッドは、次のような手段を採用する。
【００１０】
即ち、請求項１では、身体の横臥姿勢状態でその下面を支える底部と、該底部に上記身体下面を支えた状態で身体を斜めに当接させる上記底部と鈍角状に交差する壁部とでなる身体の保定凹所を設けたことを特徴とする。
【００１１】
この手段では、身体が自身で横臥姿勢を保持する必要がなく、底部と該底部と鈍角状に交差する壁部とで身体を倒し預けることができる。
【００１２】
請求項２では、請求項１に記載の保定凹所は、断面逆台形状にて形成されていることを特徴とする。
【００１３】
この手段では、身体の横臥姿勢を安定して保持することができる。
【００１４】
請求項３では、請求項１に記載の保定凹所には、横臥姿勢で下側の腕を収容する収容部が設けられていることを特徴とする。
【００１５】
この手段では、横臥姿勢の身体の下側の腕が収容部に収容される。
【００１６】
請求項４では、請求項３に記載の収容部は、身体の腕及び肩まで挿入可能なベッドの厚み方向の腕挿通孔であることを特徴とする。
【００１７】
この手段では、横臥姿勢において身体を支える下面の腕及び肩がベッド本体１を貫通し、腕挿通孔７に身体の肩まで挿通されて楽な姿勢で横臥姿勢状態を保持することができる。
【００１８】
請求項５では、請求項３に記載の収容部は、請求項４に記載の腕挿通孔とこの腕挿通孔に連なるベッドの長さ方向と直交する腕沿わせ用の溝とでなることを特徴とする。
【００１９】
この手段では、身体の腕が樋状溝６に沿って収容される。
【００２０】
請求項６では、請求項１に記載の保定凹所は、後方部分が斜め上方に傾斜していることを特徴とする。
【００２１】
この手段では、横臥姿勢における身体の脊柱を垂直に矯正させ得る。
【発明の効果】
【００２２】
本発明に係る横臥姿勢用ベッドによれば、保定凹所に身体を寄りかかり預けることで、マッサージにおける押圧を加えても身体が傾倒することなく適切な押圧を加えることができる効果がある。
【００２３】
さらに、身体が保定凹所に寄りかかり預けることで、身体自身が横臥姿勢を無理なく保持できる効果がある。
【００２４】
請求項２として、保定凹所を断面逆台形状に形成することで、身体が左右にふらつくことがなく、より横臥姿勢を保持することができ、且つ、身体正面及び背面のどちらからマッサージの押圧を加えても保定凹所により支えられるため、左右に傾倒することなく横臥姿勢を保持できる効果がある。
【００２５】
請求項３として、横臥姿勢で下側の腕が収容部に収容されるため、身体自らの体重やマッサージにおける押圧の荷重による腕の圧迫が回避することができる効果がある。
【００２６】
請求項４として、収容部は腕及び肩まで挿入可能な腕挿通孔であるため、腕及び肩への圧迫が回避され五十肩の症状をもつ人でも安心してマッサージを施すことができ、請求項３の効果を同時に果たさせることができる効果がある。
【００２７】
請求項５として、身体の下面の腕が収容部より樋状溝からなる溝に沿わせて収容されるため、腕を身体前方に伸ばした状態でも腕及び肩の圧迫が回避させることができる効果がある。
【００２８】
さらに、身体下側になる腕を樋状溝に沿わせて露出させ、この露出した腕をマッサージできるので横臥姿勢の上下向きを反転させることなく、その腕のマッサージを施すことができる効果がある。
【００２９】
請求項６として、ベッド本体後方の身体の下半身を支える面が斜め上方に傾斜した構造であるため、腰の高さと足部の高さをほぼ水平に保つことができ、下半身の捻れを防止させながら脊柱を真っ直ぐに矯正させることができる効果がある。
【００３０】
さらに、上記傾斜を利用して足部にマッサージ時の押圧を適切に且つ効果的に加えることができる効果がある。
【発明を実施するための最良の形態】
【００３１】
以下、本発明に係る横臥姿勢用ベッドの実施の形態を図面に基づいて説明する。
【実施例】
【００３２】
ベッド本体１は、身体の横臥姿勢でその下面を支える底部２と該底部に鈍角α状に交差する壁部３とでなる身体の保定凹所４が設けられている。上記保定凹所４は本例では断面逆台形状に形成してある。上記保定凹所４には収容部５が設けられる。この収容部５はベッド本体１の長さ方向に直交する腕沿わせようの樋状溝６と、ベッド本体１を貫通させた腕挿通孔７とで構成されている。また、ベッド本体１の保定凹所４は、後方部分が図４のように斜め上方に傾斜している。図中８は抱き枕、９は頭枕であり、いずれも着脱可能になっている。また、ベッド本体１の表面に施されるマット表面は、防水性、耐薬品性の合成樹脂シート等（例えば、低反発性ポリエステル等）からなり、マットの内部には弾力性を有する合成樹脂クッション等が充填されている。以下に使い方を述べる。
【００３３】
マッサージを施す身体はベッド本体１の保定凹所４に横臥姿勢をとり、収容部５に腕及び肩を収容する形で上半身が乗り、下半身はベッド本体１後方の傾斜している側に乗せ、保定凹所４に身体を寄りかけることにより、身体は水平になり脊柱を真っ直ぐにし無理のない安定した横臥姿勢を保持する。この状態においてマッサージによる押圧を施すとき、身体は保定凹所４により支えられているため押圧により身体が傾倒することがなく、適切な押圧を加えられる。また、抱き枕８を抱えることにより押圧で身体が捻れることをより抑え、マッサージによる押圧を効果的に施すことができる。
【００３４】
また、保定凹所４は断面逆台形状に形成されているため、身体が左右にふらつくことなく横臥姿勢をより無理なく保持される。この状態において身体に押圧を加えるが身体は左右に傾倒することがなく、適切にマッサージを施すことができる。
【００３５】
また、横臥姿勢時では下側になる腕が身体自らの体重やマッサージにおける押圧による荷重を受け圧迫されるので、この腕挿通孔７に下側になる腕を収容することで身体自らの体重やマッサージ時の押圧の荷重による圧迫を回避する。
【００３６】
さらに、腕挿通孔７がベッド本体１を貫通しており、この腕挿通孔７に腕を挿通し肩まで挿入することで、より荷重による圧迫を回避する。
【００３７】
また、身体正面や腕へのマッサージを施す場合や五十肩などで腕挿通孔７に腕を挿通しにくい場合などは、樋状溝６に腕を沿わせることができる。この状態においても腕は樋状溝６に沿わせているため荷重からの圧迫を回避しているとともに、腕が露出されているため腕へのマッサージも容易に施すことができる。
【００３８】
また、身体の下半身はベッド本体１後方の傾斜している保定凹所４に乗るため脊柱を水平にした姿勢を保つ。下半身は伸長した姿勢の他、図１のように横臥姿勢時の上側に位置する足をベッド本体１の保定凹所４の壁面３の上面３ｂに乗せた姿勢で、より横臥姿勢を保ち、横臥姿勢においても足部へのマッサージ等における押圧を適切に与えることができる。
【００３９】
以上、マッサージ用ベッドとしての使用の他に、身体の不自由な老人、病人等の介護支援用としての用途を選択することも可能である。この用途においては床ずれを防がせるに好適である。
【００４０】
さらに、腕挿通孔７は身体に合わせて孔径Ｎを大小調整できる構造としてもよく、また、さらに腕挿通孔７に蓋を取り付けて腕挿通孔７を塞ぐ構造や樋状溝６に着脱可能な蓋を設けて溝を平らにする構造としてもよい。
【００４１】
また、保定凹所４の形状を図８の様に断面円弧状に形成し、身体を傾ける際に転がし易い様にようにしてもよい。
【産業上の利用可能性】
【００４２】
マッサージ業、病院、介護支援業などに
【図面の簡単な説明】
【００４３】
【図１】本発明に係る横臥姿勢用ベッドの実施の形態を示す斜視図である。
【図２】本発明に係る横臥姿勢用ベッド本体の斜視図である。
【図３】本発明に係る横臥姿勢用ベッド本体の平面図である。
【図４】本発明に係る横臥姿勢用ベッド本体の正面図である。
【図５】本発明に係る横臥姿勢用ベッド本体の側面図である。
【図６】本発明に係る横臥姿勢用ベッドの身体が腕を腕挿通孔に通している状態を示す図である。
【図７】本発明に係る横臥姿勢用ベッドで樋状溝に身体の腕を沿わせている状態を示す図である。
【図８】本発明に係る横臥姿勢用ベッド本体の半円弧状に形成した側面図である。
【符号の説明】
【００４４】
１                  ベッド本体
２                  底部
３                  壁部
４                  保定凹所
５                  収容部
６                  樋状溝
７                  腕挿通孔
８                  抱き枕
９                  頭枕
Ｎ                  腕挿通孔の径
Ｋ                  横臥姿勢用ベッド後方の傾斜度
α                  鈍角（ベッド保定凹所の底部と壁部の傾斜度）
【図１】
2004167238.tif 000003
【図２】
2004167238.tif 000004
【図３】
2004167238.tif 000005
【図４】
2004167238.tif 000006
【図５】
2004167238.tif 000007
【図６】
2004167238.tif 000008
【図７】
2004167238.tif 000009
【図８】
2004167238.tif 000010